(57)【要約】      （修正有）【課題】ペナントを直接、旗頭に結び付けることなく、簡単に優勝・準優勝等の旗に取付けることのできるペナント取付具を提供する。【解決手段】旗棒金具１０２及び旗頭１０４で支持されるペナント用保持具Ｘ１と、ペナント用保持具Ｘ１に取付けられ、ペナント用保持具Ｘ１の外側に延設されるペナント用連結具Ｘ２と、ペナント紐Ｐ１を挿通し、ペナントＰを結び付けるペナント用環具Ｘ３を備え、ペナント用環具Ｘ３は、ペナント用保持具Ｘ１から間隔を隔てる位置で、ペナント用連結具Ｘ２に取付けてペナント取付具を構成する。【選択図】図５
0003175816.tif 000002
【実用新案登録請求の範囲】
【請求項１】
旗棒、旗生地を取付ける旗棒金具及び旗頭を含んで構成され、前記旗棒金具を前記旗棒一端側に取付け、前記旗頭を前記旗棒一端から前記旗棒金具に取付けてなる優勝・準優勝等の旗において、
前記旗棒金具及び前記旗頭で支持されるペナント用保持具と、
前記ペナント用保持具に取付けられ、前記ペナント用保持具外側に延設されるペナント用連結具と、
ペナント紐を挿通し、ペナントを結び付けるペナント用環具を備え、
前記ペナント用環具は、
前記ペナント用保持具から間隔を隔てる位置で、前記ペナント用連結具に取付けられる
ことを特徴とするペナント取付具。
【請求項２】
前記ペナント用保持具は、平板材及び連結穴で構成され、
前記平板材は、板厚方向の両端面を前記旗棒金具及び前記旗頭で支持され、
前記連結穴は、前記旗棒金具外側に配置され、前記板厚方向で前記平板材を挿通し、
前記ペナント用連結具は、連結用環材で構成され、
前記連結用環材は、前記連結穴に隙間を持って挿通して、前記平板材外側に延設され、
前記ペナント用環具は、前記平板材から間隔を隔てる位置で、前記連結用環材に取付けられる
ことを特徴とする請求項１に記載のペナント取付具。
【請求項３】
前記連結穴は、複数で構成され、
前記連結用環材は、前記各連結穴に対応して複数配置され、前記各連結穴に隙間を持って挿通してなる
ことを特徴とする請求項２に記載のペナント取付具。
【請求項４】
前記平板材は、円形平板材で構成され、
前記複数の連結穴は、前記円形平板材の中心線周りに等角度を隔てて配置される
ことを特徴とする請求項３に記載のペナント取付具。
【請求項５】
前記旗棒金具は、ネジ穴を有し、
前記平板材は、支持用穴を有し、
前記支持用穴は、前記連結穴内側に配置され、前記板厚方向で前記平板材を挿通し、
前記旗頭は、ネジ軸を有し、
前記ネジ軸を前記平板材の前記支持用穴に挿通し、前記旗棒金具の前記ネジ穴に螺着して、前記旗棒金具とで前記平板材を支持する
ことを特徴とする請求項２乃至４の何れかに記載のペナント取付具。
【請求項６】
旗棒、旗生地を取付ける旗棒金具及び旗頭を含んで構成され、前記旗棒金具を前記旗棒一端側に取付け、前記旗頭を前記旗棒一端から前記旗棒金具に取付けてなる優勝・準優勝等の旗において、
前記旗棒金具及び前記旗頭で支持されるペナント用保持具と、
ペナント紐を挿通し、ペナントを結び付けるペナント用環具を備え、
前記ペナント用環具は、
全体又は一部を前記ペナント用保持具外側に配置して、前記ペナント用保持具に取付けられる
ことを特徴とするペナント取付具。
【考案の詳細な説明】
【技術分野】
【０００１】
本考案は、優勝・準優勝等の旗にペナント（ペナントリボン）を取付けるペナント取付具に関する。
【背景技術】
【０００２】
優勝・準優勝等の旗は、競技、演奏大会等の優勝者（準優勝者）を表彰し、優勝者等に授与される。優勝者等は、一般に、次回の競技、演奏大会まで優勝・準優勝等の旗を保持し、次回の競技、演奏大会で主催者に返還する。競技、演奏大会の主催者は、歴代の受賞者等を記録したペナントを優勝・準優勝等の旗に取付ける。
【０００３】
優勝・準優勝等の旗として、特許文献１は、旗棒、旗頭（竿頭）及び旗生地を備え、旗頭を旗棒一端に取付けてなる優勝旗を開示する。
特許文献１の優勝旗において、一般に、ペナントは、直接、旗頭（竿頭）に結び付けることで、優勝旗に取付けられ、ペナントを直接、旗頭に結び付ける作業は容易でない。
【先行技術文献】
【特許文献】
【０００４】
【特許文献１】実用新案登録第３１１４７５３号公報
【考案の概要】
【考案が解決しようとする課題】
【０００５】
本考案は、ペナントを直接、旗頭に結び付けることなく、簡単に優勝・準優勝等の旗に取付けることのできるペナント取付具を提供することにある。
【課題を解決するための手段】
【０００６】
本考案に係る請求項１は、旗棒、旗生地を取付ける旗棒金具及び旗頭を含んで構成され、前記旗棒金具を前記旗棒一端側に取付け、前記旗頭を前記旗棒一端から前記旗棒金具に取付けてなる優勝・準優勝等の旗において、前記旗棒金具及び前記旗頭で支持されるペナント用保持具と、前記ペナント用保持具に取付けられ、前記ペナント用保持具外側に延設されるペナント用連結具と、ペナント紐を挿通し、ペナントを結び付けるペナント用環具を備え、前記ペナント用環具は、前記ペナント用保持具から間隔を隔てる位置で、前記ペナント用連結具に取付けられることを特徴とするペナント取付具に関する。
【０００７】
本考案に係る請求項２は、前記ペナント用保持具は、平板材及び連結穴で構成され、前記平板材は、板厚方向の両端面を前記旗棒金具及び前記旗頭で支持され、前記連結穴は、前記旗棒金具外側に配置され、前記板厚方向で前記平板材を挿通し、前記ペナント用連結具は、連結用環材で構成され、前記連結用環材は、前記連結穴に隙間を持って挿通して、前記平板材外側に延設され、前記ペナント用環具は、前記平板材から間隔を隔てる位置で、前記連結用環材に取付けられることを特徴とする請求項１に記載のペナント取付具に関する。
【０００８】
本考案に係る請求項３は、前記連結穴は、複数で構成され、前記連結用環具は、前記各連結穴に対応して複数配置され、前記各連結穴に隙間を持って挿通してなることを特徴とする請求項２に記載のペナント取付具に関する。
【０００９】
本考案に係る請求項４は、前記平板材は、円形平板材で構成され、前記複数の連結穴は、前記円形平板材の中心周りに等角度を隔てて配置されることを特徴とする請求項３に記載のペナント取付具に関する。
【００１０】
本考案に係る請求項５は、前記旗棒金具は、ネジ穴を有し、前記平板材は、支持用穴を有し、前記支持用穴は、前記連結穴内側に配置され、前記板厚方向で前記平板材を挿通し、前記旗頭は、ネジ軸を有し、前記ネジ軸を前記平板材の前記支持用穴に挿通し、前記旗棒金具の前記ネジ穴に螺着して、前記旗棒金具とで前記平板材を支持することを特徴とする請求項２乃至４の何れかに記載のペナント取付具に関する。
【００１１】
本考案に係る請求項６は、旗棒、旗生地を取付ける旗棒金具及び旗頭を含んで構成され、前記旗棒金具を前記旗棒一端側に取付け、前記旗頭を前記旗棒一端から前記旗棒金具に取付けてなる優勝・準優勝等の旗において、前記旗棒金具及び前記旗頭で支持されるペナント用保持具と、ペナント紐を挿通し、ペナントを結び付けるペナント用環具を備え、前記ペナント用環具は、全体又は一部を前記ペナント用保持具外側に配置して、前記ペナント用保持具に取付けられることを特徴とするペナント取付具に関する。
【考案の効果】
【００１２】
本考案に係る請求項１では、ペナント用環具をペナント用保持具から間隔を隔てる位置に配置できるので、ペナントは、直接、旗頭に結び付けることなく、ペナント用環具に結び付けることで、優勝・準優勝等の旗に取付けることが可能である。
しかも、ペナント用環具は、ペナント用保持具から間隔を隔てる位置で、ペナント用連結具に取付けられるので、ペナントを結び付ける際、ペナント用保持具が邪魔にならず、簡単にペナント用環具に結び付けることができる。
【００１３】
本考案に係る請求項２では、請求項１の効果に加えて、ペナント用連結具の連結用環材は、平板材の連結穴を基点として、回転でき、ペナント用環具を任意の位置に配置できる。
例えば、ペナント用環具を旗棒金具及び旗棒外側で、平板材から間隔を隔てる位置に配置でき、ペナントをペナント用環具に結び付ける際、旗棒金具、旗頭及びペナント用保持具の平板材が邪魔にならず、簡単に結び付けることが可能となる。
【００１４】
本考案に係る請求項３では、請求項２の効果に加えて、ペナント数が増えても、複数の連結用環材にペナントを結び付けることが可能となる。
【００１５】
本考案に係る請求項４では、複数の連結用環材を円形平板材の中心線周りに等角度を隔てて配置したので、複数のペナント用環具も中心線周りに等角度を持って配置できる。
これにより、複数枚のペナントは、各ペナント用環材に均等に分散して結び付けることで、複数枚のペナント総重量を平板材の中心線周りに均等に分散できる。
また、平板材を円形平板材で構成するので、旗生地、ペナントが引っ掛かることなく、傷めることを防止できる。
【００１６】
本考案に係る請求項５では、旗頭のネジ軸及び旗棒金具のネジ穴を用いて、平板材を旗棒金具及び旗頭で支持するので、簡単な構成で支持できる。
【００１７】
本考案に係る請求項６では、ペナントは、直接、旗頭に結び付けることなく、ペナント用環具に結び付けることで、優勝・準優勝等の旗に取付けることが可能である。
しかも、ペナント用環具の全体又は一部は、ペナント用保持具外側に配置して、ペナント用連結具に取付けられるので、ペナントを結び付ける際、ペナント用保持具が邪魔にならず、簡単にペナント用環具に結び付けることができる。
【図面の簡単な説明】
【００１８】
【図１】ペナント取付具を構成するペナント用保持具を示す図であって、（ａ）は側面図、（ｂ）は平面図、（ｃ）は図１（ｂ）のＡ−Ａ断面図である。
【図２】ペナント取付具を構成するペナント用連結具、及びペナント用環具を示す図であって、（ａ）は正面図、（ｂ）は図２（ａ）のＢ−Ｂ矢視図である。
【図３】ペナント用保持具を旗棒金具及び旗頭で支持した状態を示す拡大一部断面図である。
【図４】ペナント用保持具を旗棒金具及び旗頭で支持した状態を示す拡大図である。
【図５】ペナント用保持具にペナント用連結具を取付け、回転させた状態を示す拡大図である。
【図６】ペナント用保持具にペナント用連結具を取付けた状態を示す拡大図である。
【図７】ペナントを示す図であって、（ａ）は正面図、（ｂ）は図７（ａ）のＣ−Ｃ矢視図である。
【図８】ペナント用保持具にペナント用環具を取付けた状態を示す拡大一部断面図である。
【図９】優勝・準優勝等の旗を示す図である。
【図１０】優勝・準優勝等の旗を構成する旗棒金具を示す図であって、（ａ）は上面図、（ｂ）は正面図、（ｃ）は側面図、（ｄ）は図１０（ｃ）のＤ−Ｄ断面図である。
【図１１】優勝・準優勝等の旗を構成する旗頭を示す図であって、（ａ）は正面図、（ｂ）は底面図である。
【図１２】優勝・準優勝等の旗であって、垂旗を示す図である。
【考案を実施するための形態】
【００１９】
本考案に係るペナント取付具について、図１乃至図１２を参照して説明する。
なお、説明の便宜上、先ず、優勝・準優勝等の旗について説明した後、ペナント取付具について説明する。
【００２０】
＜優勝・準優勝等の旗＞
優勝・準優勝等の旗について、図９乃至図１１を参照して説明する。
【００２１】
図９乃至図１１において、優勝・準優勝等の旗（Ｚ）は、競技、演奏大会の優勝者（準優勝者）を表彰し、優勝者等に授与される。
優勝者等は、一般に、次回の競技、演奏大会まで優勝・準優勝等の旗を保持し、次回の競技、演奏大会で主催者に返還する。競技、演奏大会の主催者は、歴代の受賞者等を記録したペナントを優勝・準優勝等の旗に取付ける。
なお、優勝・準優勝等の旗は、優勝旗、準優勝旗に限定されず、受賞者を表彰し、授与する旗も含まれる。
【００２２】
優勝・準優勝等の旗（Ｚ：以下「優勝等旗」と称する）は、図９乃至図１１に示すように、旗棒（１０１）、旗棒金具（１０２）、（１０３）、旗頭（１０４）、石突（１０５）、及び旗生地（１０６）を含んで構成される。
【００２３】
旗棒（１０１）は、「旗竿」とも称せられる。
旗棒（１０１）は、例えば、千段巻で円形軸に形成される。
【００２４】
旗棒金具（１０２）は、「逆輪」とも称される。
旗棒金具（１０２）は、旗棒（１０１）一軸端（１０１ａ）に取付けられる。
旗棒金具（１０２）は、図９及び図１０に示すように、金具本体（１０７）及び旗用円環材（１０８）で構成され、金具本体（１０７）は円柱（円形軸）に形成される。
【００２５】
金具本体（１０７）は、図１０に示すように、旗棒用穴（１０９）、ネジ穴（１１０）及び旗用突起（１１１）を有している。
旗棒用穴（１０９）は、金具本体（１０７）の一軸端（１０７ａ）に開口し、金具本体（１０７）内に形成されている。旗棒用穴（１０９）は、金具本体（１０７）の軸方向（Ｌ）において、金具本体（１０７）の他軸端（１０７ｂ）側まで延設されている。
ネジ穴（１１０）は、金具本体（１０７）の他軸端（１０７ｂ）に開口し、金具本体（１０７）内に形成されている。ネジ穴（１１０）は、金具本体（１０７）の軸方向（Ｌ）において、金具本体（１０７）の一軸端（１０７ａ）側に延設され、旗棒用穴（１０９）内に開口している。
旗用突起（１１１）は、金具本体（１０７）外周に形成され、金具本体（１０７）外側に突出している。旗用突起（１１１）は、環材用穴（１１２）を有し、環材用穴（１１２）は、旗用突起（１１１）の突出する方向に直交して、旗用突起（１１１）内を挿通している。
【００２６】
旗用円環材（１０８）は、図１０に示すように、旗用突起（１１１）の環材用穴（１１２）内を挿通し、旗用突起（１１１）に取付けられている。
旗用円環材（１０８）は、図１０（ｃ）に示すように、旗用突起（１１１）の環材用穴（１１２）を基点として、金具本体（１０７）の軸方向（Ｌ）に回転自在（旋回自在）である。
【００２７】
上記構成の旗棒金具（１０２）は、図９及び図１０に示すように、金具本体（１０７）の旗棒用穴（１０９）内に旗棒（１０１）の一軸端（１０１ａ）側を挿入して、旗棒（１０１）一軸端（１０１ａ）側に取付けられる。
【００２８】
旗棒金具（１０３）は、「胴輪」とも称される。
旗棒金具（１０３）は、図９に示すように、旗棒（１０１）の軸方向（Ｌ）に間隔を隔てて配置され、旗棒（１０１）に取付けられている。旗棒金具（１０３）は、旗用円環材（図示しない）を有している。
【００２９】
旗頭（１０４）は、「竿頭」とも称される。
旗頭（１０４）は、図９に示すように、旗棒（１０１）一軸端（１０１ａ）から旗棒金具（１０２）に取付けられる。
旗頭（１０４）は、図９及び図１１に示すように、旗頭本体（１１３）、支持軸（１１４）及びネジ軸（１１５）で構成される。
【００３０】
旗頭本体（１１３）は、例えば、三方剣でなる。なお、旗頭本体（１１３）としては、金球、偏平玉、菱剣、三方正面等を採用できる。
支持軸（１１４）は、図１１に示すように、旗頭本体（１１３）の底端面（１１３ａ）に一体形成され、旗頭本体（１１３）の軸方向（Ｌ）に延設している。
ネジ軸（１１５）は、支持軸（１１４）に連続して一体形成され、支持軸（１１４）から縮径して軸方向（Ｌ）に延設している。
【００３１】
上記構成の旗頭（１０４）は、図９及び図１１に示すように、ネジ軸（１１５）を旗棒金具（１０２）のネジ穴（１１０）に螺着して、旗棒金具（１０２）に取付けられる。
【００３２】
石突（１０５）は、図９に示すように、旗棒（１０１）の他軸端（１０１ｂ）に取付けられている。
【００３３】
旗生地（１０６）は、図９に示すように、矩形状（正方形状）に形成されている。旗生地（１０５）は、繊維糸（絹糸、アクリル糸、レーヨン糸等）を織り込んで構成される。
旗生地（１０６）には、図９に示すように、「優勝」文字、図形等が施され、更に矩形状の２長辺（１０６ａ）、（１０６ａ）及び１短辺（１０６ｂ）にフレンジ（房：図示しない）を有している。
旗生地（１０６）は、図９及び図４に示すように、フレンジ無の１短辺（１０６ｂ）の両端において、旗棒金具（１０２）、（１０３）に取付けられる。旗生地（１０６）は、旗紐（１１６）、（１１６）を旗棒金具（１０２）の旗用円環材（１０８）及び旗棒金具（１０３）の旗用円環材（図示しない）に挿通し、結び付ける。
【００３４】
＜ペナント取付具＞
次に、ペナント取付具について、図１乃至図７を参照して説明する。
【００３５】
ペナント取付具は、優勝等旗（Ｚ）に組付けられ、ペナントを優勝等旗（Ｚ）に取付ける。
なお、図７において、ペナント（Ｐ）は、帯状布のペナントリボンであって、ペナントリボン一端側にペナント紐（Ｐ１）を有している。ペナント（Ｐ）には、競技、演奏耐火等の受賞者（優勝者等）等が記録される。
【００３６】
図１及び図６において、ペナント取付具（Ｘ）は、ペナント用保持具（Ｘ１）、ペナント用連結具（Ｘ２）及びペナント用環具（Ｘ３）を備えて構成される。
【００３７】
＜ペナント用保持具（Ｘ１）＞
ペナント用保持具（Ｘ１）は、図３及び図４に示すように、旗棒金具（１０２）及び旗頭（１０４）間に配置され、旗棒金具（１０２）及び旗頭（１０４）で支持される。
ペナント用保持具（Ｘ１）は、図１に示すように、平板材（１）、複数の連結穴（２）、（２）・・・及び支持用穴（３）で構成される。
【００３８】
平板材（１）は、例えば、円形平板材で構成される。
平板材（１）としては、多角形平板材又は楕円形平板材等で構成しても良い。
【００３９】
複数の連結穴（２）、（２）・・・は、平板材（１）の中心線（ａ）周りに等角度（９０度）を隔てて配置される。各連結穴（２）、（２）・・・は、図１に示すように、平板材（１）の中心線（ａ）から半径（ｒ１：直径：Ｄ１＝２×ｒ１）の仮想円（Ｓ）上に配置される。各連結穴（２）、（２）・・・は、板厚方向（Ｔ）で平板材（１）を挿通して形成される。
なお、連結穴（２）の数は、複数に限定されず、１の連結穴でも良い。
【００４０】
支持用穴（３）は、各連結穴（２）、（２）・・・内側に配置され、平板材（１）の中心線（ａ）を穴中心として、平板材（１）に形成されている。支持用穴（３）は、板厚方向（Ｔ）で平板材（１）を挿通している。
【００４１】
＜ペナント用連結具（Ｘ２）＞
ペナント用連結具（Ｘ２）は、図５及び図６に示すように、ペナント用保持具（Ｘ１）に取付けられ、ペナント用保持具（Ｘ１）外側に延設される。
ペナント用連結具（Ｘ２）は、図２に示すように、連結用環材である連結用ナス環材（７）で構成される。
【００４２】
連結用ナス環材（７）は、フック部材（８）、可動部材（９）、操作片（１０）、取付用リング（１１）及び連結ピン（１２）を有し、フック部材（８）及び可動部材（１０）で環部（Ｋ）を形成する。
【００４３】
可動部材（９）は、連結用ナス環材（７）の回転軸（１４）に軸支され、回転軸（１４）を中心に環部（Ｋ）内に回転自在（旋回自在）である。可動部材（９）は、連結用ナス環材（７）内のコイルバネ（図示しない）のバネ力でフック部材（１０）側に付勢され、環部（Ｋ）を形成する。
【００４４】
操作片（１０）は、フック部材（１０）側に配置され、回転軸（１４）に軸支されている。
取付用リング（１１）は、フック部材（１１）と反対側に配置される。
連結ピン（１２）は、取付用リング（１１）を挿通し、連結用ナス環材（７）に取付けられる。
【００４５】
上記構成の連結用ナス環材（７）において、図２に示すように、操作片（１０）を反時計方向に操作すると、可動部材（９）はコイルバネ（図示しない）のバネ力に抗して、回転軸（１４）を中心に環部（Ｋ）内に回転される。
これにより、連結用ナス環材（７）は、フック部材（８）及び可動部材（９）間で環部（Ｋ）を開放する。操作片（１０）の操作を解除すると、可動部材（９）はコイルバネ（図示しない）のバネ力で回転軸（１４）を中心に回転し、フック部材（８）に当接して環部（Ｋ）を形成する。
また、連結用リング（１１）は、連結ピン（１２）を中心として、連結用ナス環材（７）に対して回転自在である。
なお、連結用ナス環材（７）は、図２の構成に限定されず、また連結用環材は、円環材等であっても良い。
【００４６】
＜ペナント用環具（Ｘ３）＞
ペナント用環具（Ｘ３）は、図５及び図６に示すように、ペナント紐（Ｐ１）を挿通し、ペナント（Ｐ）を結び付ける。
ペナント用環具（Ｘ３）は、図２に示すように、例えば、円環材（１５）で構成される。円環材（１５）は、連結用ナス環材（７）の取付用リング（１１）を挿通し、連結用ナス環材（７）に取付けられる。
【００４７】
＜ペナント取付具（Ｘ）の組付等＞
次に、ペナント取付具（Ｘ）の組付け、及びペナント（Ｐ）の取付けについて、図３乃至図９を参照して説明する。
【００４８】
図９において、旗頭（１０４）を回転することで、旗棒金具（１０２）から旗頭（１０４）を取外す。
続いて、ペナント用保持具（Ｘ１）において、図３及び図４に示すように、平板材（１）の支持用穴（３）内に旗頭（１０４）のネジ軸（１１５）を挿通し、旗棒金具（１０２）のネジ穴（１１０）に螺着する。
これにより、ペナント用保持具（Ｘ１）の平板材（１）は、図３及び図４に示すように、旗棒金具（１０２）及び旗頭（１０４）間に配置される。
このとき、平板材（１）の板厚方向（Ｔ）の両端面（１ａ）、（１ｂ）は、金具本体（１０７）の他端面（１０７ｂ）及び支持軸（１１４）の一軸端面（１１４ａ）に対峙される。
旗頭（１０４）において、ネジ軸（１１５）の螺着が進むと、平板材（１）の両端面（１ａ）、（１ｂ）は、図３及び図４に示すように、支持軸（１１４）の一軸端面（１１４ａ）及び金具本体（１０７）の他端面（１０７ｂ）に当接する。
これにより、ペナント用保持具（Ｘ１）の平板材（１）は、両端面（１ａ）、（１ｂ）が旗棒金具（１０２）及び旗頭（１０４）で挟まれ、旗棒金具（１０２）及び旗頭（１０４）で支持される。
そして、ペナント用保持具（Ｘ１）の平板材（１）は、ネジ軸（１１５）及びネジ穴（１１０）を用いて旗棒金具（１０２）及び旗頭（１０４）で支持されるので、旗棒金具（１０２）及び旗頭（１０４）の構成を変更することなく、簡単な構成で平板材（１）を支持できる。
【００４９】
ペナント用保持具（Ｘ１）の平板材（１）を旗棒金具（１０２）及び旗頭（１０４）で支持すると、複数の連結穴（２）、（２）・・・は、図３及び図４に示すように、旗棒金具（１０２）及び旗頭（１０４）外側に配置され、板厚方向（Ｔ）で平板材（１）を挿通している。
従って、平板材（１）の直径：Ｄは、図３に示すように、旗棒金具（１０２）及び旗頭（１０４）より大径とし、平板材（１）を旗棒金具（１０２）及び旗頭（１０４）外側に延設する。
また、平板材（１）において、仮想円（Ｓ）の直径：Ｄ１は、図１及び図３に示すように、旗棒金具（１０２）及び旗頭（１０４）より大径とし（但し、直径：Ｄ１＜直径：Ｄ）、複数の連結穴（２）、（２）・・・を仮想円（Ｓ）上に配置する。
【００５０】
続いて、ペナント用連結具（Ｘ２）及びペナント用環具（Ｘ３）を用意し、連結用ナス環材（７）を１の連結穴（２）、（２）・・・に取付ける。
連結用ナス環材（７）において、操作片（１０）を操作して、可動部材（９）を回転することで、環部（Ｋ）を開放する。
そして、連結用ナス環材（７）のフック部材（８）を平板材（１）の連結穴（２）に隙間を持って挿通し、操作片（１２）の操作を解除することで、フック部材（８）及び可動部材（９）で再び環部（Ｋ）を形成する（図５参照）。
これにより、ペナント用連結具（Ｘ２）において、連結用ナス環材（７）は、図５及び図６に示すように、ペナント用保持具（Ｘ１）の平板材（１）に取付けられ、平板材（１）外側に延設される。
また、ペナント用環具（Ｘ３）において、円環材（１５）は、ペナント用保持具（Ｘ１）の平板材（１）から間隔を隔てる位置で、連結用ナス環材（７）の取付用リング（１１）に取付けられている。
【００５１】
ペナント用連結具（Ｘ２）において、連結用ナス環材（７）を平板材（１）に取付けると、連結用ナス環材（７）は、図５及び図６に示すように、平板材（１）の連結穴（２）を基点として、例えば、旗棒（１０１）の軸方向（Ｌ）に回転自在（旋回自在）である。
これにより、連結用ナス環材（７）又は円環材（１５）を把持して、図５に示すように、旗棒金具（１０２）から離間する任意の位置に回転することで、連結用ナス環材（７）及び円環材（１５）は旗棒金具（１０２）、旗頭（１０４）及び平板材（１）外側に配置自在である。
【００５２】
ペナント用保持具（Ｘ１）及びペナント用環具（Ｘ２）を任意の位置に回転した後、図５に示すように、ペナント（Ｐ）のペナント紐（Ｐ１）を円環材（１５）に挿通し、結び付けることで、ペナント（Ｐ）は円環材（１５）、連結用ナス環材（７）及び平板材（１）を通して優勝等旗（Ｚ）に取付けられる。
このとき、ペナント用環具（Ｘ３）の円環材（１５）は、図５に示すように、旗棒金具（１０２）及び旗頭（１０４）外側で、ペナント用保持具（Ｘ１）の平板材（１）から間隔を隔てる位置に配置されるので、ペナント（Ｐ）を容易に円環材（１５）に結び付けることができる。
【００５３】
続いて、連結用ナス環材（７）の把持を解除すると、連結用ナス環材（７）及び円環材（１５）は、図６に示すように、連結穴（２）を基点として、旗棒金具（１０２）側に回転し、これにより、連結用ナス環材（７）、円環材（１５）及びペナント（Ｐ）は、旗棒（１０１）の軸方向（Ｌ）下側に垂れ下げられる。
【００５４】
また、ペナント用環具（Ｘ３）の円環材（１５）は、図６に示すように、軸方向（Ｌ）において、ナス環材（７）を通して平板材（１）から間隔を隔てる下方側に配置されるので、この状態で、ペナント紐（Ｐ１）を円環材（１５）に挿通し、結び付けることで、ペナント（Ｐ）を優勝等旗（Ｚ）に取付けることもできる。
更に、ペナント用環具（Ｘ３）の円環材（１５）は、ナス環材（７）によって平板材（１）に取付け又は取外し自在であるので、ペナント（Ｐ）を円環材（１５）に結び付けた後、ナス環材（７）を平板材（１）の連結穴（２）に挿通することで、ペナント（Ｐ）を優勝等旗（Ｚ）に取付けることもできる。
【００５５】
本考案に係るペナント取付具（Ｘ）において、連結用ナス環材（７）を平板材（１）の複数の連結穴（２）、（２）・・・に対応して複数配置し、フック部材（８）を各連結穴（２）、（２）・・・に隙間を持って挿通することで、円環材（１５）を平板材（１）の中心線（ａ）周りに等角度を隔てて複数配置する。
これにより、複数枚のペナント（Ｐ）を複数の円環材（１５）に分散して取付けることができ、複数のペナント（Ｐ）の総重量を平板材（１）の中心線（ａ）周りに分散できる。
また、平板材（１）は、円形平板材で構成するので、旗生地（１０６）やペナント（Ｐ）が平板材（１）に引っ掛かることがなく、傷めることを防止できる。
【００５６】
本考案に係るペナント取付具（Ｘ）は、図１乃至図６の構成に限定されず、例えば、図８に示す構成を採用できる。
なお、図８において、図１乃至図７と同一符号は、同一部材及び同一構成であるので、その詳細な説明は省略する。
【００５７】
図８において、ペナント用取付具（Ｘ）は、ペナント用連結具（Ｘ２）を備えず、ペナント用保持具（Ｘ１）及びペナント用環具（Ｘ３）で構成される。
【００５８】
ペナント用保持具（Ｘ１）は、図１と同様として、平板材（１）、複数の連結穴（２）及び支持用穴（３）で構成される。
ペナント用環具（Ｘ３）は、図２と同様として、円環材（１５）で構成される。
【００５９】
ペナント用環具（Ｘ３）において、円環材（１５）は、図８に示すように、平板材（１）の連結穴（２）に隙間を持って挿通され、平板材（１）に取付けられている。
これにより、円環材（１５）は、連結穴（２）を基点として、旗棒（１０１）の軸方向（Ｌ）に直交する方向に回転自在（旋回自在）である。
円環材（１５）において、部材一部は、図８に示すように、ペナント用保持具（Ｘ１）の平板材（１）から間隔を隔てる位置に配置される。
【００６０】
続いて、ペナント紐（Ｐ１）を円環材（１５）に挿通し、結び付けることで、ペナント（Ｐ）は、円環材（１５）及び平板材（１）を通して優勝等旗（Ｚ）に取付けられる。
【００６１】
また、ペナント用環具（Ｘ３）を複数の連結穴（２）、（２）・・・に対応して複数配置し、円環材（１５）を各連結穴（２）、（２）・・・に隙間を持って挿通することで、円環材（１５）は平板材（１）の中心線（ａ）周りに等角度を隔てて複数配置される。
これにより、複数枚のペナント（Ｐ）を優勝等旗（Ｚ）に容易に取付けることができ、複数枚のペナント（Ｐ）を平板材（１）の中心線（ａ）周りに分散して取付けることができる。
【００６２】
図８において、ペナント用環具（Ｘ３）の円環材（１５）を平板材（１）外周に取付け、部材全体を平板材（１）外側に配置しても良い。
【００６３】
本考案に係るペナント取付具（Ｘ）において、ペナント用保持具（Ｘ１）の平板材（１）は、旗棒金具（１０２）及び旗頭（１０４）とは別体に構成しているが、これに限定されるものでない。例えば、ペナント用保持具（Ｘ１）の平板材（１）を旗棒金具（１０２）又は旗頭（１０４）に一体形成しても良い。
【００６４】
本考案に係るペナント取付具（Ｘ）において、優勝等旗は、図９に示す構成に限定されず、図１２に示す構成を採用できる。
なお、図１２において、図９乃至図１１と同一符号は同一部材及び同一構成であるので、その詳細な説明は省略する。
【００６５】
図１２において、優勝等旗（Ｚ１）は、「垂旗」と称される。
優勝等旗（Ｚ１）は、旗棒（１０１）、旗棒金具（１０２）、旗頭（１０４）、旗生地（１２６）及び石突（１０５）を含んで構成される。
【００６６】
旗生地（１２６）は、矩形及び三角形の連続する五角形に形成され、繊維糸（絹糸、アクリル糸、レーヨン糸等）を織り込んで構成される。
旗生地（１２６）は、旗端側（１２６ａ）に横棒（１２７）を有し、横棒（１２７）の両軸端側には旗紐（１２８）、（１２８）が取付けられている。
この旗生地（１２６）は、各旗紐（１２８）、（１２８）に連結する連結紐（１２９）を通して旗棒金具（１０２）の旗用円環材（１０８）に取付けられる。
なお、旗生地（１２６）において、一端（１２６ａ）を除く各辺にはフレンジ（図示しない）を有し、旗生地（１２６）には、「優勝」文字、図形が施されている。
【００６７】
図１２に示す優勝等旗（Ｚ１）において、図１乃至図１１と同様として、ペナント用保持具（Ｘ１）の平板材（１）を旗棒金具（１０２）及び旗頭（１０４）間に配置し、旗棒金具（１０２）及び旗頭（１０４）で支持する。
また、ペナント用連結具（Ｘ２）及びペナント用環具（Ｘ３）、又はペナント用環具（Ｘ３）を１又は複数の連結穴（２）、（２）・・・に配置することで、ペナント（Ｐ）を優勝等旗（Ｚ１）に取付ける。
【産業上の利用可能性】
【００６８】
本考案は、優勝等旗にペナントを取付けるのに好適である。
【符号の説明】
【００６９】
Ｘ  ペナント取付具
Ｘ１  ペナント用保持具
Ｘ２  ペナント用連結具
Ｘ３  ペナント用環具
Ｚ  優勝・準優勝等の旗
１０１  旗棒
１０２  旗棒金具（逆輪）
１０４  旗頭
１０６  旗生地
Ｐ  ペナント
Ｐ１  ペナント紐
【図１】
0003175816.tif 000003
【図２】
0003175816.tif 000004
【図３】
0003175816.tif 000005
【図４】
0003175816.tif 000006
【図５】
0003175816.tif 000007
【図６】
0003175816.tif 000008
【図７】
0003175816.tif 000009
【図８】
0003175816.tif 000010
【図９】
0003175816.tif 000011
【図１０】
0003175816.tif 000012
【図１１】
0003175816.tif 000013
【図１２】
0003175816.tif 000014